(57)【特許請求の範囲】
【請求項１】
表示意匠を備える文字盤と、
前記文字盤の前面側に配置され前記文字盤の前記表示意匠を指示する指針と、
前記指針を回動させるムーブメントとを備え、
前記指針は、前記ムーブメントのシャフトに固定されるボス部と、前記ボス部から前記文字盤の外周側へ向けて延出される支持腕部と、前記支持腕部先端から前記文字盤の表面に沿い前記文字盤の内周側へ向けて延出されるポインタ部とを有し、前記支持腕部と前記ポインタ部とにより断面形状が略コ字状を成し、
前記文字盤は、前記指針の前記ポインタ部の裏側と前記支持腕部の表側との間に前記支持腕部の回転平面と略平行に配置される車両用計器であって、
前記文字盤の外周側且つ前記指針の前面側に、前記文字盤との間に空気の層を挟むようにして配置される透光性材質からなるリング部材を備え、
前記リング部材の前面側には表面から突出する凸部が設けられ、
視認方向において前記リング部材の内周は前記文字盤の外周より内側に位置し、
前記リング部材は前記文字盤の外周から、前記文字盤と前記リング部材との間の空気の層を進行して、前記リング部材の裏面に入射する光により透過照明され、
前記凸部の表面が前記リング部材外周側から内周側へ向かうにしたがって前記文字盤に近づくように形成されることを特徴とする車両用計器。
【請求項２】
表示意匠を備える文字盤と、
前記文字盤の前面側に配置され前記文字盤の前記表示意匠を指示する指針と、
前記指針を回動させるムーブメントとを備え、
前記指針は、前記ムーブメントのシャフトに固定されるボス部と、前記ボス部から前記文字盤の外周側へ向けて延出される支持腕部と、前記支持腕部先端から前記文字盤の表面に沿い前記文字盤の内周側へ向けて延出されるポインタ部とを有し、前記支持腕部と前記ポインタ部とにより断面形状が略コ字状を成し、
前記文字盤は、前記指針の前記ポインタ部の裏側と前記支持腕部の表側との間に前記支持腕部の回転平面と略平行に配置される車両用計器であって、
前記文字盤の外周側且つ前記指針の前面側に、前記文字盤との間に空気の層を挟むようにして配置される透光性材質からなるリング部材を備え、
前記リング部材の前面側には表面から突出する凸部が設けられ、
視認方向において前記リング部材の内周は前記文字盤の外周より内側に位置し、
前記リング部材は前記文字盤の外周から、前記文字盤と前記リング部材との間の空気の層を進行して、前記リング部材の裏面に入射する光により透過照明され、
前記リング部材の前記裏面が前記リング部材外周側から内周側へ向かうにしたがって前記文字盤から遠ざかるように形成されることを特徴とする車両用計器。
【請求項３】
前記凸部は計器の目盛であることを特徴とする請求項１または請求項２に記載の車両用計器。
【発明の詳細な説明】
【技術分野】
【０００１】
本発明は、車両の運転席に設置されて乗員に対して各種情報を表示する車両用計器に関するものであり、たとえば自動車等に用いて好適である。
【背景技術】
【０００２】
従来の車両用計器として、たとえば指針の支持点が文字盤の外周に位置する構造のものがある（特許文献１参照）。
【０００３】
この場合、文字盤の中央部を表示スペースとして利用できる。
【特許文献１】実開昭６０−１１８９１６号公報
【発明の開示】
【発明が解決しようとする課題】
【０００４】
上述の従来の車両用計器においては、計器としての見映えが平面的となり面白味に欠ける可能性がある。
【０００５】
そこで、指針の前面側且つ文字盤の外周側に透光性材質からなるリング状部材を配置し、このリング部材に計器としての表示意匠の一部（たとえば目盛等）を形成し、文字盤の背後に配置された光源からの光を文字盤の外周から照射して透過照明する構成の車両用計器が考えられる。
【０００６】
この場合、文字盤の外周からリング部材に向けて照射される光が直接運転者の目に入射することを防止するために、リング部材と文字盤との位置関係を、運転者から見て文字盤の外周部に文字盤とリング部材とが重なるように設定されている。すなわち、リング部材は、その内周側端部近傍が運転者の視認方向において文字盤と重なっている。言い換えると、透過照明されるリング部材の一部が文字盤と重なっている。
【０００７】
このため、リング部材が文字盤の外周からの光に照射されると、リング部材の文字盤と重なった部分は、上述の光が入射しないため他の部分より暗く見える。したがって、リング部材上に形成された目盛を透過照明する構成においては、目盛の明るさがその内周側部分が暗く不均一になるという問題がある。
【０００８】
本発明は、上記の問題点に鑑みなされたもので、車両用計器の構成に工夫を凝らして、リング部材上の表示意匠の発光輝度を均一なものにできる車両用計器を提供することを目的とする。
【課題を解決するための手段】
【０００９】
本発明は上記目的を達成する為、以下の技術的手段を採用する。
【００１０】
本発明の請求項１に記載の車両用計器は、表示意匠を備える文字盤と、文字盤の前面側に配置され文字盤の表示意匠を指示する指針と、指針を回動させるムーブメントとを備え、指針は、ムーブメントのシャフトに固定されるボス部と、このボス部から文字盤の外周側へ向けて延出される支持腕部と、この支持腕部先端から文字盤の表面に沿い文字盤の内周側へ向けて延出されるポインタ部とを有し、支持腕部とポインタ部とにより断面形状が略コ字状を成し、文字盤は、指針のポインタ部の裏側と支持腕部の表側との間に支持腕部の回転平面と略平行に配置される車両用計器であって、文字盤の外周側且つ指針の前面側に、文字盤との間に空気の層を挟むようにして配置される透光性材質からなるリング部材を備え、このリング部材の前面側には表面から突出する凸部が設けられ、視認方向においてリング部材の内周は文字盤の外周より内側に位置し、リング部材は文字盤の外周から、文字盤とリング部材との間の空気の層を進行して、リング部材の裏面に入射するの光により透過照明され、凸部の表面がリング部材外周側から内周側へ向かうにしたがって文字盤に近づくように形成されることを特徴としている。
【００１１】
上述した構成における運転者の視線、つまり車両用計器から運転者の眼までの光路を考える。
【００１２】
凸部のリング部材の内周側端部から運転者の眼までの光路について考える。通常、車両運転中に運転者は車両用計器を正面から見ているので、凸部のリング部材の内周側端部からほぼ垂直方向に運転者の眼があることになる。ここで、凸部の表面が水平ではなく、リング部材外周側から内周側へ向かうにしたがって文字盤に近づくように傾斜しているので、凸部のリング部材の内周側端部からほぼ垂直方向に進行する光は、凸部から空気中に出射するときに屈折している。したがって、上述の光のリング部材中における光路は、凸部表面の出射点から垂直方向ではなく、凸部表面の出射点からリング部材の裏面に向かうに連れてリング部材の外周に近づく方向、言い換えると凸部表面の出射点から文字盤に近づくに連れて文字盤外周側へ向かう方向となっている。
【００１３】
リング部材中において上述したような光路を辿る光は、空気中を進行しリング部材の裏面に入射する際に屈折している。したがって、リング部材中において上述したような光路を辿る光のリング部材裏面側の空気中における光路は、リング部材裏面の入射点から離れるに連れてリング部材の内周から外周へ向かうような方向となる。すなわち、この光路は、文字盤の外側を通ることになる。したがって、運転者は、文字盤の外側の一点を通る上述した光をリング部材の凸部の内周側端部として視認することになり、運転者からはリング部材の凸部の背後に文字盤は見えない。
【００１４】
一方、文字盤の背後に配置された光源からの光を文字盤の外周から照射してリング部材を透過照明する場合も、同様に、運転者からはリング部材の凸部の背後に文字盤は見えない。言い換えると、凸部全体が透過照明されて均一な輝度で視認される。
【００１５】
これにより、リング部材上の表示意匠である凸部の発光輝度を均一なものにできる車両用計器を提供することができる。
【００１６】
本発明の請求項２に記載の車両用計器は、表示意匠を備える文字盤と、文字盤の前面側に配置され文字盤の表示意匠を指示する指針と、指針を回動させるムーブメントとを備え、指針は、ムーブメントのシャフトに固定されるボス部と、このボス部から文字盤の外周側へ向けて延出される支持腕部と、この支持腕部先端から文字盤の表面に沿い文字盤の内周側へ向けて延出されるポインタ部とを有し、支持腕部とポインタ部とにより断面形状が略コ字状を成し、文字盤は、指針のポインタ部の裏側と支持腕部の表側との間に支持腕部の回転平面と略平行に配置される車両用計器であって、文字盤の外周側且つ指針の前面側に、文字盤との間に空気の層を挟むようにして配置される透光性材質からなるリング部材を備え、このリング部材の前面側には表面から突出する凸部が設けられ、視認方向においてリング部材の内周は文字盤の外周より内側に位置し、リング部材は文字盤の外周から、文字盤とリング部材との間の空気の層を進行して、リング部材の裏面に入射するの光により透過照明され、リング部材の裏面がリング部材外周側から内周側へ向かうにしたがって文字盤から遠ざかるように形成されることを特徴としている。
【００１７】
上述した構成における運転者の視線、つまり車両用計器から運転者の眼までの光路を考える。
【００１８】
凸部のリング部材の内周側端部から運転者の眼までの光路について考える。通常、車両運転中に運転者は車両用計器を正面から見ているので、凸部のリング部材の内周側端部からほぼ垂直方向に運転者の眼があることになる。ここで、リング部材の裏面が水平ではなく、リング部材外周側から内周側へ向かうにしたがって文字盤から遠ざかるように傾斜しているので、凸部のリング部材の内周側端部からほぼ垂直方向に進行する光は、凸部から空気中に出射するときにはほとんど屈折しない。したがって、上述の光のリング部材中における光路は凸部表面の出射点からほぼ垂直方向となっている。
【００１９】
リング部材中において上述したような光路を辿る光は、空気中を進行しリング部材の裏面に入射する際に屈折している。したがって、リング部材中において上述したような光路を辿る光のリング部材裏面側の空気中における光路は、リング部材裏面の入射点から離れるに連れてリング部材の内周から外周へ向かうような方向となる。すなわち、この光路は、文字盤の外側を通ることになる。これにより、運転者は、文字盤の外側の一点を通る上述した光をリング部材の凸部の内周側端部として視認することになり、運転者からはリング部材の凸部の背後に文字盤は見えない。
【００２０】
一方、文字盤の背後に配置された光源からの光を文字盤の外周から照射してリング部材を透過照明する場合も、同様に、運転者からはリング部材の凸部の背後に文字盤は見えない。言い換えると、凸部全体が透過照明されて均一な輝度で視認される。
【００２１】
これにより、リング部材上の表示意匠である凸部の発光輝度を均一なものにできる車両用計器を提供することができる。
【００２２】
本発明の請求項３に記載の車両用計器は、凸部は計器の目盛であることを特徴としている。
【００２３】
この場合、目盛を均一な輝度で発光表示することができるので、車両用計器の見映えを良好なものにできる。
【発明を実施するための最良の形態】
【００２４】
以下、本発明による車両用計器を、自動車に搭載されるコンビネーションメータに適用した場合を例に図面に基づいて説明する。
【００２５】
（第1実施形態）
図１は、本発明の第１実施形態によるコンビネーションメータ１の部分正面図である。図１においては、タコメータＴ部を示している。
【００２６】
図２は、図１中のＩＩ−ＩＩ線断面図である。図２において、左側が運転席側であり、コンビネーションメータ１は、左方から視認される。
【００２７】
図３は、図２中のＩＩＩ部拡大図である。
【００２８】
図４は、本発明の第１実施形態によるコンビネーションメータ１の電気回路構成を説明する模式図である。
【００２９】
コンビネーションメータ１は、自動車の運転席前方の運転者から視認可能な位置に設置されている。タコメータＴは、このコンビネーションメータ１内に形成され、当該自動車のエンジン回転速度を指針の回動角度により指示するものである。
【００３０】
以下に、コンビネーションメータ１の構成、すなわちタコメータＴの構成について説明する。
【００３１】
タコメータＴは、大きくは、表示意匠である数字２ｂを備えた文字盤２、凸部としての目盛３ａを備えたリング部材である外周リング３、数字２ｂおよび目盛３ａを指示する指針８等から構成されている。
【００３２】
文字盤２は、透光性材質、たとえば無色透明のポリカーボネート樹脂あるいはアクリル樹脂等の薄板から形成されている。文字盤２は、表示意匠としてエンジン回転速度を表す「１」、「２」等の数字２ｂを備えている。数字２ｂは、文字盤２の表面２ａ（図２において左側の面）に印刷あるいはホットスタンプ等を施すことにより形成されている。すなわち、数字２ｂ以外の部分に不透光性着色層あるいは半透光性着色層を設けると共に、数字２ｂおよび文字２ｃを透明なままとする、あるいは半透光性着色層を設ける等の処理を施してある。これにより、文字盤２の裏側に配置される後述する発光ダイオード５が点灯されると、それが発する光により文字盤２は透過照明されて、数字２ｂが発光表示される。
【００３３】
文字盤２は、図１に示すように、その中央部に円形の開口窓２ｃが設けられている。この開口窓２ｄを介して、文字盤２の背後に設けられた液晶表示器９が運転者により視認される。
【００３４】
文字盤２の背後には、図２に示すように、指針８を回動させるムーブメント７が配置されている。ムーブメント７は、ステッピングモータ、あるいは交差コイル式回転機等の電気アクチュエータからなり、外部からの電気信号（タコメータＴにおいてはエンジンの回転速度信号）に対応した角度だけシャフト７ａを回動させるものである。ムーブメント７は、図２に示すように、文字盤２中央の開口窓２ｃに臨んで、すなわち液晶表示器９の背後に配置されている。ムーブメント７のシャフト７ａの先端には、図２に示すように、指針８が固定されている。
【００３５】
指針８は、透光性材料、たとえばアクリル樹脂等により形成されている。指針８は、図２に示すように、ムーブメント７のシャフト７ａに固定されるボス部８ａ、ボス部８ａから文字盤２の外周側へ向けて延出される支持腕部８ｂ、支持腕部８ｂ先端から文字盤２の表面２ａに沿い文字盤２の内周側へ向けて延出するポインタ部８ｃとを有している。すなわち、指針８は、図２に示すように、指示腕部８ｂとポインタ部８ｃとにより略コ字状を成している。指針８は、指示腕部８ｂとポインタ部８ｃとが文字盤２を挟むように配置されている。言い換えると、文字盤２は、指針８のポインタ部８ｃの裏側と指示腕部８ｂの表側との間に、支持腕部８ｂ（つまりポインタ部８ｃ）との回転平面と平行に配置されている。
【００３６】
指針８を上述したような形状に形成することにより、ムーブメント７のシャフト７ａが文字盤２を貫通する必要が無くなる。したがって、文字盤２上における指針８の回転中心周囲の領域を表示領域として活用する、つまり液晶表示器９を配置することができる。
【００３７】
なお、指針８においては、図２に示すように、ボス部８ａの支持腕部８ｂの反対側に、釣合錘部８ｄを設けている。釣合錘部８ｄは、指針８のシャフトａ回りの不釣合い量を小さくして、指針８の回転運動を滑らかにするためのものである。釣合錘部８ｄには、比重量の大きい材質、たとえば金属材料等からなる錘を付加してもよい。
【００３８】
指針８のポインタ部８ｃより前面側（図２において左側）且つ文字盤２の外周側には、図２に示すように、リング部材としての外周リング３が配置されている。外周リング３は、透光性材料、たとえば無色透明のポリカーボネート樹脂あるいはアクリル樹脂等から形成されている。外周リング３は、図２に示すように、その表面３ｂから前面側に突出する凸部を備え、これらの凸部が、図１に示すように、タコメータＴの目盛を構成している。目盛３ａの前面側の表面３ａａは、図２に示すように、外周リング３の外周側から内周側へ向かうにしたがって（図２において上から下へ向かうに連れて）文字盤２に近づくように形成されている。つまり、目盛３ａの表面３ａａは、目盛盤２の外周側から中心部へ向かって傾斜する斜面として形成されている。外周リング３の目盛３ａを除く部分である表面３ｂには、印刷あるいはホットスタンプにより不透光性着色層が施されている。これにより、文字盤２の裏側に配置される発光ダイオード５が点灯されると、その光により透過照明されて、目盛３ａのみが発光表示される。
【００３９】
文字盤２の背後、すなわち指針８の支持腕部８ｂの背後には、図２に示すように、文字盤２、外周リング３および指針８を照明するための導光板４および発光ダイオード５が配置されている。導光板４は、透光性材料、たとえば無色透明のポリカーボネート樹脂あるいはアクリル樹脂等から形成されている。発光ダイオード５からの光は、導光板４に入射しその内部で反射を繰り返し発光面４ａから出射して文字盤２を照明する。これにより、数字２ｂが透過照明される。また、発光ダイオード５からの光は、導光板４に入射しその内部で反射を繰り返し発光面４ｂから出射して外周リング３を照明する。これにより、目盛３ａが透過照明される。指針８は、導光板２の発光面４ａおよび発光面４ｂからの光に照射されて照明される。
【００４０】
文字盤２の裏側には、図２に示すように、開口窓２ｃに臨んで液晶表示器９が配置されている。液晶表示器９は、たとえばマトリクス型液晶表示器が用いられている。液晶表示器９には、図１に示すように、オド・トリップメータＳが画像（数字等）として形成されている。オド・トリップメータＳは、液晶表示器９に内蔵されるバックライト（図示せず）により透過照明されて発光表示される。
【００４１】
発光ダイオード５、ムーブメント７は、図２に示すように、文字盤２の裏側（図２において左側）に配置されたプリント基板６に実装されている。プリント基板６は、たとえばガラスエポキシ基板等からなり、タコメータＴを含むコンビネーションメータ１の電気回路部を形成している。液晶表示器９も、フレキシブルプリント基板（図示せず）等により、プリント基板６に電気的に接続されている。
【００４２】
プリント基板６には、発光ダイオード５の点灯・消灯制御、ムーブメント７の駆動制御、液晶表示器９の表示駆動制御を行なうコントローラ１０が実装されている。コントローラ１０は、たとえばマイクロコンピュータ等から構成されている。
【００４３】
以上説明した、文字盤２、外周リング３、導光板４、プリント基板６、ムーブメント７等は、図２に示すように、樹脂材料から成形されるケーシング１１内に収容保持されている。
【００４４】
また、文字盤２の前面側には、図２に示すように、略枠状の見返し板１２が装着され、さらに見返し板１２の先端部には透明カバー１３が装着されている。見返し板１２は、たとえば樹脂材料から形成されている。透明カバー１２は、透明な樹脂の薄板あるいはガラス等から形成されている。見返し板１２および透明カバー１３は、コンビネーションメータ１の見映えを整えると同時に、コンビネーションメータ１内部への埃、水分等の侵入を防止している。
【００４５】
一方、ケーシング１１の背後には、図２に示すように、ロアカバー１４が装着されている。ロアカバー１４は、たとえば樹脂材料から形成されている。
【００４６】
次に、以上説明した、本発明の第１実施形態によるコンビネーションメータ１の電気回路構成および作動について、図４に基づいて説明する。
【００４７】
図４の電気回路構成図に示すように、コントローラ１０には、バッテリ１９から電力が常時供給されている。また、コントローラ１０は、イグニッションスイッチ１８が、その作動状態（ＯＮまたはＯＦＦ）を検出可能に接続されている。
【００４８】
コントローラ１０には、各種のセンサ類、すなわち当該自動車のエンジン回転速度を検出するエンジン回転センサ１５、当該自動車の走行距離を検出する距離センサ１６が、検出信号を入力可能に接続されている。
【００４９】
一方、コントローラ１０には、その制御対象である、発光ダイオード５、ムーブメント７、液晶表示器９が接続されている。コントローラ１０には、ライトコントロールスイッチ１７がその設定ポジションを検出可能に接続されている。
【００５０】
（１）イグニッションスイッチ１８がＯＮされた場合。
【００５１】
運転者によりイグニッションスイッチ１８がＯＮされると、コントローラ１０はイグニッションスイッチ１８がＯＮされたことを検知して、コンビネーションメータ１の表示制御作動を開始する。
【００５２】
コントローラ１０は、先ずライトコントロールスイッチ１７からの信号に基づいてライトコントロールスイッチ１７の設定ポジションを検出する。ライトコントロールスイッチ１７がＯＦＦポジションに設定されている場合、コントローラ１０は発光ダイオード５を消灯状態にする。このとき、コンビネーションメータ１は、外来光、たとえば太陽光により照射されて運転者に視認される。ライトコントロールスイッチ１７が車幅灯ポジションあるいは前照灯ポジションに設定されている場合、コントローラ１０は発光ダイオード５を点灯状態する。このとき、文字盤２の数字２ｂ、外周リング３の目盛３ａおよび指針８は発光ダイオード５からの光により透過照明されて発光表示される。
【００５３】
同時に、コントローラ１０は、エンジン回転センサ１５からの検出信号に基づきムーブメント７を駆動して、シャフト７ａを所定角度、すなわち当該自動車のエンジン回転速度に対応する角度に回動させる。これにより、タコメータＴ部においては、指針８、詳しくはポインタ部８ｃが文字盤２の数字２ｂおよび外周リング３の目盛３ａを指示してエンジン回転速度が表示される。
【００５４】
続いて、コントローラ１０は、距離センサ１６からの信号に基づいて当該自動車の走行距離を算出し、液晶表示器９を駆動してその画面に当該自動車の走行距離、つまり、図１に示すように、累積走行距離（ＯＤＯ）および区間走行距離（ＴＲＩＰ）を表示する。
【００５５】
（２）イグニッションスイッチ１８がＯＦＦされた場合。
【００５６】
運転者によりイグニッションスイッチ１８がＯＦＦされると、コントローラ１０は、そのことを検知して、発光ダイオード５が点灯状態の場合はそれを消灯状態とする。また、コントローラ１０は、ムーブメント７および液晶表示器９の駆動を停止する。
【００５７】
次に、本発明の第１実施形態によるコンビネーションメータ１の特徴である外周リング３の構成、すなわち目盛３ａの形状の視認性におよぼす作用効果について、図３に基づいて説明する。なお、図３は、分り易さのために指針８を省略している。
【００５８】
通常、運転中において運転者の眼Ｅの位置は、図３に示すように、コンビネーションメータ１のほぼ正面にある。この姿勢における、目盛３ａの視認性、つまり運転者からの見え方について説明する。
【００５９】
運転者が目盛３ａの内周側端部を見るときの光路Ｐ１を考える。目盛３ａの前面側の表面３ａａは、図２に示すように、外周リング３の外周側から内周側へ向かうにしたがって文字盤２に近づくように、つまり、外周リング３の外周側から内周側へ向かって傾斜する斜面として形成されている。このため、光路Ｐ１を辿る光は、外周リング３を通過する際に、目盛３ａの表面３ａａおよび外周リング３の裏面３ｃの２箇所で屈折し、図３に示すような経路となり、文字盤２を通過しない。一方、文字盤２から目盛３ａの内周側端部へ向かう光の光路Ｐ２は、図３に示すように、外周リング３を通過する際に目盛３ａの表面３ａａで屈折し、運転者の眼Ｅからそれた方向へ進む。
【００６０】
以上により、運転者が目盛３ａを見たときに、目盛３ａの背後に文字盤２が見えることがない。言い換えると、目盛３ａの見映えが一様なものとなる。
【００６１】
したがって、発光ダイオード５が消灯状態のときには、目盛３ａは、外来光、たとえば太陽光により照明されて均一な明るさ且つ一様な見映えとなる。一方、発光ダイオード５が点灯状態のときには、目盛３ａは、発光ダイオード５からの光によって透過照明されて均一な明るさで発光表示される。
【００６２】
これにより、従来の車両用計器においてリング部材の一部が文字盤と重なってリング部材上に形成された目盛の背後に文字盤の一部が見える、あるいは目盛を透過照明する光が部分的に文字盤で遮られて目盛の明るさが不均一になるという問題を解消して、外周リング３上に形成された目盛３ａの発光輝度が均一となるようなコンビネーションメータ１を実現することができる。
【００６３】
（第２実施形態）
図５は、本発明の第２実施形態によるコンビネーションメータ１の部分拡大図であり、図２中のＩＩＩ部拡大図である。
【００６４】
本発明の第２実施形態によるコンビネーションメータ１では、本発明の第１実施形態によるコンビネーションメータ１に対して、外周リング３の形状を変えている。すなわち、図５に示すように、外周リング３の裏面３ｃは、図５に示すように、外周リング３の外周側から内周側へ向かうにしたがって（図５において上から下へ向かうに連れて）文字盤２から遠ざかるように形成されている。つまり、外周リング３の裏面３ｃは、目盛盤２の外周側から中心部へ向かって傾斜する斜面として形成されている。
【００６５】
上記以外の構成は、すなわち構造は、本発明の第１実施形態によるコンビネーションメータ１と全く同じである。
【００６６】
上述した構成の本発明の第２実施形態によるコンビネーションメータ１において、運転者が目盛３ａの内周側端部を見るときの光路Ｐ１を考える。光路Ｐ１を辿る光は、外周リング３を通過する際に、外周リング３の裏面３ｃで屈折し、図５に示すような経路となり、文字盤２を通過しない。一方、文字盤２から目盛３ａの内周側端部へ向かう光の光路Ｐ２は、図５に示すように、外周リング３を通過する際に外周リング３の裏面３ｃおよび目盛３ａの表面３ａａの２箇所で屈折し、運転者の眼Ｅからそれた方向へ進む。
【００６７】
以上により、運転者が目盛３ａを見たときに、目盛３ａの背後に文字盤２が見えることがない。言い換えると、目盛３ａの見映えが一様なものとなる。
【００６８】
これにより、本発明の第２実施形態によるコンビネーションメータ１においても、本発明の第１実施形態によるコンビネーションメータ１の場合と同様に、発光ダイオード５が消灯状態のときには、目盛３ａは、外来光、たとえば太陽光により照明されて均一な明るさ且つ一様な見映えとなる。一方、発光ダイオード５が点灯状態のときには、目盛３ａは、発光ダイオード５からの光によって透過照明されて均一な明るさで発光表示される。
【００６９】
したがって、本発明の第２実施形態によるコンビネーションメータ１においても、外周リング３上に形成された目盛３ａの発光輝度が均一となるようなコンビネーションメータ１を実現することができる。
【００７０】
なお、以上説明した本発明の第１、第２実施形態によるコンビネーションメータ１においては、発光ダイオード５の点灯・消灯をライトコントロールスイッチ１７の選択ポジションに連動して切替えているが、必ずしも連動させる必要は無く、たとえば、イグニッションスイッチ１８がＯＮの場合は、必ず発光ダイオード５を点灯状態として、文字２ｂ、目盛３ａおよび指針８を発光表示するようにしてもよい。
【００７１】
また、以上説明した本発明の第１、第２実施形態によるコンビネーションメータ１においては、文字２ｂ、目盛３ａおよび指針８照明用の光源として発光ダイオード５を用いているが、他の種類の光源、たとえば電球、放電管、ＥＬパネル等を用いても良い。
【００７２】
また、以上説明した本発明の第１、第２実施形態によるコンビネーションメータ１においては、指針計器をタコメータＴとしているが、他の計器、たとえば走行速度を指示するスピードメータあるいは残存燃料量を表示する燃料計としてもよい。
【００７３】
また、以上説明した本発明の第１、第２実施形態によるコンビネーションメータ１においては、文字盤２の中央部に液晶表示器９を配置しているが、これを省略してもよい。
【図面の簡単な説明】
【００７４】
【図１】本発明の第１実施形態によるコンビネーションメータ１の部分正面図である。
【図２】図１中のＩＩ−ＩＩ線断面図である。
【図３】図２中のＩＩＩ部拡大図である。
【図４】本発明の第１実施形態によるコンビネーションメータ１の電気回路構成を説明する模式図である。
【図５】本発明の第２実施形態によるコンビネーションメータ１の部分拡大図であり、図２中のＩＩＩ部拡大図である。
【符号の説明】
【００７５】
１    コンビネーションメータ（車両用計器）
２    文字盤
２ａ    表面
２ｂ    数字（表示意匠）
２ｃ    開口窓
３    外周リング（リング部材）
３ａ    目盛（凸部）
３ａａ    表面
３ｂ    表面
３ｃ    裏面
４    導光板
４ａ    発光面
４ｂ    発光面
５    発光ダイオード
６    プリント基板
７    ムーブメント
７ａ    シャフト
８    指針
８ａ    ボス部
８ｂ    支持腕部
８ｃ    ポインタ部
８ｄ    釣合錘部
９    液晶表示器
１０    コントローラ
１１    ケーシング
１２    見返し板
１３    透明カバー
１４    ロアカバー
１５    エンジン回転センサ
１６    距離センサ
１７    ライトコントロールスイッチ
１８    イグニッションスイッチ
１９    バッテリ
Ｅ    眼
Ｓ    オド・トリップメータ
Ｔ    タコメータ
【図１】
0004600234.tif 000002
【図２】
0004600234.tif 000003
【図３】
0004600234.tif 000004
【図４】
0004600234.tif 000005
【図５】
0004600234.tif 000006